Podtech/llm-jp-corpus-v4-ja_patent huggingface dataset:
(57)【要約】【課題】本発明は、着用形態において、損傷の激しい足底部、とりわけヒール部の耐久性を高めて長期の着用を可能とし、また、着用に際しては左右、表裏を意識することなく着用できる利便性と、従来にない意匠的価値を高めることのできる新規な構成の靴下類に関する。【解決手段】本発明は、膨出したヒール部を形成して成る靴下類の構成において、当該ヒール部に対応する足首部の前側に同様の膨出部を形成して成ること、靴下類が指付であることを特徴とするものである。【選択図】    図１
2006348412.tif 000002
【特許請求の範囲】
【請求項１】
膨出したヒール部を形成して成る靴下類の構成において、当該ヒール部に対応する足首部の前側に同様の膨出部を形成して成ることを特徴とする靴下類。
【請求項２】
靴下類が指付である請求項１記載の靴下類。
【発明の詳細な説明】
【技術分野】
【０００１】
本発明は、新規な構成の靴下類の提供に関する。
【背景技術】
【０００２】
ソックス、ストッキング、タイツ、パンティストッキング等の靴下類においては、人体の足形状にマッチさせてヒール部を形成するのが一般的である。
当該部の構成は、例えば、編機の回転を正回転から正逆往復回転に切り替えて行うコンベンションヒール編、ヒール編成時にヒールの先端部に向かってループ長を大きく編成する立体ヒール編、筒状に編成した編地を人体足型にて熱セットしてヒール部を形成する熱セット法等がある。
これらによって形成されるヒール部（膨出部）は何れの場合も通常１つである。
【０００３】
一方、前記のヒール部の他に同様の技術を用いて複数の膨出部を構成したものとして、例えば、以下のものがある。
特許文献１；同文献には、通常のヒールに加え、脚部背面に増目部を設け、ずり落ちを防止した構成が示される。
特許文献２；同文献には、穿き口背面に膨出部を設け、前記と同様にずれやずり落ちを防止した構成が示される。
特許文献３；同文献には、膝部に膨出部を設け、膝部への密着性を高めた構成が示される。
特許文献４；同文献には、穿き口背後に膨出部を設け、当該部を折り返したとき舌片形状の把持部となり、装着を容易としたものが示されている。
【０００４】
【特許文献１】実開昭４８−６５４２６号公報
【特許文献２】実開平６−５１２０６号公報
【特許文献３】実開平６−８５３０７号公報
【特許文献４】特開２００２−１７３８０１号公報
【発明の開示】
【発明が解決しようとする課題】
【０００５】
本発明は、かかる従来のものと異なる目的、構成をもって２つの膨出部を構成したこと、即ち、従来の１つのヒール部を有する商品における当該部の磨耗による劣化の課題、或いは、左右、表裏を区分して着用することの煩わしさを解消した従来にない新規な構成の靴下類を提供するものである。
【課題を解決するための手段】
【０００６】
即ち、本発明は、膨出したヒール部を形成して成る靴下類の構成において、当該ヒール部に対応する足首部の前側に同様の膨出部を形成して成ること、及び、靴下類が指付であることを特徴とするものである。
【発明の効果】
【０００７】
本発明においては、通常のヒール部に対応する前側にもう1つヒール形状の膨出部を構成したので着用に際し、上下を逆にし、天地替して着用することによって、ヒール部の損傷の程度をやわらげ、結果として当該部の寿命を高め、また、着用に際しては左右、表裏を意識することなく着用できる利便性を備えたもので、更に、従来にない意匠的外観を呈する。
特に、５本指等の指付の靴下類においては、左右を気にすることなく、着用がスムーズであり、また、複数の同種の靴下を揃えておけば、ペアリングも容易で、着回しによる耐久性も一段と向上する。また、上下天地替えして着用できることは、ヒール部のみならず、つま先を含めた足裏全体の耐久性をも高めることができる。
【発明を実施するための最良の形態】
【０００８】
本発明を構成する靴下類は、ソックス、ストッキング、タイツ、パンティストッキング等、ヒール部を有するものを含む。
膨出したヒール部の構成は、前記した、例えば、編機の回転を正回転から正逆往復回転に切り替えて行うコンベンションヒール編、ヒール編成時にヒールの先端部に向かってループ長を大きく編成する立体ヒール編、筒状に編成した編地を人体足型にて熱セットして膨出するヒール形成等、何れの方法でもよく、編成により構成する場合は、表裏対称の位置にヒール部が形成されるよう編機の制御を行う。また、足型によりセットする場合には、２つのヒール部を有する足型によるか、１つの足形を用い、位置をずらせてセットを行うことで可能である。
使用できる編機としては、従来より公知のソックス編機、ストッキング編機を用いることができるが、特に、フルコンピューター制御の可能な島精機（株）製横編機、ロナティ社（仏）製編機が好適に例示できる。
また、使用される素材は、従来より靴下類の編成素材として用いられる合成繊維、天然繊維、半合成繊維等を所望により適宜選択して用いるものである。
以下、本発明を実施例に基づいて説明するが、本発明はこれに限定されない。
【実施例１】
【０００９】
使用編機；フルコンピューター制御の島精機（株）横編機10G/13G,Xマシーン96N/156Nを使用。
使用素材；表糸として、綿１００％、裏糸として、ウーリーナイロン糸を使用。
ヒール部形成のための編機の制御法；フルコンピューター制御の編み立てプログラムにて、通常のヒール部、これに対応する足首前側にコンベンション編みによる膨出部を形成し、先端は５本指を形成する編組織とした。
【００１０】
前記により得た本発明の靴下の構成を例示した図面によって説明する。
図１は、斜視図を示し、５本の指付靴下１の構成において、膨出した２つのヒール２、３を有する。かかるヒール部は、図２の側面図に示すように側面中心から対称の位置に同一形状、大きさのヒール部２，３が構成されたものである。
図３、図４にこれの着用形態を例示する。図３に示すものは、膨出した上側のヒール部２を上側に折り重ねた使用形態を、また、図４は逆に内側に挿入した形態を示す。かかる図４の形態とした場合、挿入したヒール部が袋状のポケットとなるため、コイン、香料、消臭剤等を適宜収納することができる。
なお、次に着用する場合は、ヒール部を逆にし、即ち、下側を上側に、上側を下側にして着用することにより損傷の程度が２分されるため、結果的に長持ちする。また、このような着用形態による外観は従来に見られないもので、独特の趣味感を呈する。
【産業上の利用可能性】
【００１１】
以上の結果は、着用形態を変えることによってヒール部を含めた足裏の耐久性を高め、また、迅速な着用とペアリングを可能とする。
【図面の簡単な説明】
【００１２】
【図１】本発明を例示した斜視図。
【図２】図１の側面図。
【図３】着用状態を例示した側面図。
【図４】他の着用状態を示した側面図。
【符号の説明】
【００１３】
１  指付靴下
２  ヒール部(上側)
３  ヒール部（下側）
４  足
【図１】
2006348412.tif 000003
【図２】
2006348412.tif 000004
【図３】
2006348412.tif 000005
【図４】
2006348412.tif 000006
(57)【要約】【課題】  工場、工事現場等で使用される頭部保護用ヘルメットに、通気性を持たせる。【解決手段】  頭部保護用ヘルメットに通風孔を空け、外側に送風するためのモ−タファンを内蔵したことを特徴とする。【選択図】  図１
2006348449.tif 000002
【特許請求の範囲】
【請求項１】
頭部保護用ヘルメットに貫通穴を設け、充電式乾電池により発生した電力で  モ−タファンを駆動させ  前記ヘルメットの外部から内部へ  貫通穴を利用して通風させる装置を  内蔵する事を特徴とする頭部保護用のヘルメット。
【発明の詳細な説明】
【技術分野】
【０００１】  本発明は、一般の工場、工事現場で使用される作業用ヘルメット、登山用ヘルメット、その他の安全用ヘルメットに関する。
【背景技術】
【０００２】  従来の頭部保護用ヘルメットは  形状に様々な形、デザインを凝らした製品が生産、使用されている。しかしながら、それらは  頭部を保護する目的としている。【０００３】  頭部用ヘルメットは  頭部を外部からの衝撃から守る為に作られた物である。したがって、自動二輪用ヘルメット等一部では  通風孔の有るヘルメットが  使用されているが工場や  工事現場では  通風孔の有るヘルメットが  使用されない。
【発明の開示】
【発明が解決しようとする課題】
【０００４】  上述の如く、一般に使用される頭部保護用ヘルメットは  貫通穴が無く通気性の無い状態で使用されている。【０００５】  このため、頭部保護用ヘルメットを着用する者は  ヘルメット内部に発する熱や湿気で不快感がある。冷房の効かない高温の場所や  夏の暑い炎天下でヘルメットを着用すると頭皮は  汗まみれになっているのが  現状である。【０００６】  本発明は、このような点に鑑みて成されたものであり、その目的は、頭部保護用ヘルメットに強制通風機能を持たせる事で  使用者に安全かつ快適に着用出来ることにある。【０００７】  上述の目的を達成する本発明の頭部保護用ヘルメットは  貫通した穴を有する頭部保護用ヘルメットであって、穴内に通風する電力で駆動されたモ−タファンが内蔵されたことを特徴とする。【０００８】  一例として  頭部保護用ヘルメットの前頭部に貫通穴を空けモ−タファンを取り付ける
【発明の効果】
【０００９】  以上説明したように本発明によれば、頭部保護用ヘルメットに貫通穴を空けモ−タファンを  取り付けたので強制通風機能が可能となる。このヘルメットを火力を扱う職場、夏の炎天下の工事現場でヘルメット内部に発生する熱、湿気の除去等に極めて有効である。
【発明を実施するための最良の形態】
【００１０】  以下、本発明の実施の形態を図面に基づき詳細に説明する。【００１１】  図１〜図４は本発明の実施の形態に係わり、図１はその外観斜視図、図２はその中央部の縦断面図、図３はその通風孔の寸法図、図４はその電気回路図である。【００１２】  図１、図２に示すように、本頭部保護用ヘルメットは、貫通した穴を有する合成樹脂製のヘルメット１１の外面にモータファンを格納するケース１２をベルト１３で固定してある。【００１３】  モータファン２２を格納する１９、２１は、ヘルメットと同等の強度を持つ合成樹脂を使用しヘルメットの正面からの衝撃に耐える強度を持つ。【００１４】  モータファン２２は送風羽根２５とそれを回転駆動するモータ２６を有する。【００１５】  また、モ−タファン２２の前部には、埃や昆虫類の侵入を防ぐためのフィルター２０が取り付けられる。【００１６】  頭部保護用ヘルメットに空けられた貫通穴は図４に示すように穴径５ｍｍ、穴と穴の間隔は  ２０ｍｍ，穴数は５個とする。【００１７】  電源となる充電式乾電池１６は、使用者の腰のベルトに取り付け送電線はクリップ１５で襟や上着の端に固定する。【００１８】  以上、本発明の実施の形態及び実施例を説明したが、本発明の範囲はこれに限定されるものではない。例えば、モ−タファンの取り付け方、位置、ヘルメットに空ける貫通穴の大きさや  個数は、ヘルメットの強度、送風量等状況に応じて適宜選択されるものである。【００１９】  また、電源となる充電式乾電池はヘルメットの後部に取り付ける事も可能である。
【産業上の利用可能性】
【００２０】  本発明は、頭部保護用ヘルメットを製造、販売する産業分野で利用することができる。
【図面の簡単な説明】
【００２１】
【図１】  本発明の実施の形態に係わる頭部保護用ヘルメットの外観斜視図である。
【図２】  図１の頭部保護用ヘルメットの中央部の縦断面図である。
【図３】  図１の頭部保護用ヘルメットの通風孔の寸法図である。
【図４】  図１の頭部保護用ヘルメットの電気回路図である。
【符号の説明】
【００２２】  １１    頭部保護用ヘルメット            １６    充電式乾電池収納ケ−ス
１２    モ−タファン格納ケ−ス
１３    モ−タファン固定用ベルト
１４    送電線
１５    送電線固定用クリップ
【図１】
2006348449.tif 000003
【図２】
2006348449.tif 000004
【図３】
2006348449.tif 000005
【図４】
2006348449.tif 000006
(57)【要約】【課題】よだれかけをしていても、赤ちゃんのよだれは顎から首を伝って落ちるので、肌着が濡れてしまっていた。洋服・肌着とも濡れない様にする。かけ紐は首の後ろにあるものが多い為、お母さん一人スムーズに取り外し出来なかった。【解決手段】綿の布を二つ折りにし、襟元で切り込みを入れ、肌着と肌との間に差し込む様にし、前掛けと後ろ掛けを作り一体化させる。襟元は谷折りにして縫い代をつけ、布が四枚重ねになる様にする。襟元に差し込むので簡単に取り外し出来る。【選択図】図１
2006348448.tif 000002
【特許請求の範囲】
【請求項１】
綿１００％の布を二つ折りにし、後ろ掛けに襟元から切り込みを入れ前だけではなく肌着の内側にも差し込める様にする。後ろ掛けは赤ちゃんのおへその上あたりまでくる様に布をとり赤ちゃん用のよだれかけを作る。
【発明の詳細な説明】
【発明の詳細な説明】
【技術分野】
【０００１】  本発明は、前掛けと後ろ掛けを一体すれば、赤ちゃんのよだれを襟元から防げるので、下着の濡れを防ぐものである。肌着の内側に入るので肌に優しい綿１００％の素材が好ましい。また、後ろ掛けは切り込みが入っているのと、前掛けほどの長さがあるので動いたりしても外れにくい。交換は襟元での差し込み式なので、お母さん一人でも簡単に取り外し出来るようにした。
【背景技術】
【０００２】  従来のよだれかけは前掛けと後ろ掛けが一体となったものはなかった。掛け紐は首の後ろ側で結ぶものやマジックテープで止めるものしかなかった。
【発明が解決しようとする課題】
【０００３】  従来のよだれかけでは付けていても、よだれはあごから首を伝って落ちるので肌着が濡れてしまう。従来のものでは洋服だけしかカバー出来なかった。冬の時期など赤ちゃんの着替えが大変である。何度よだれかけを替えても、洋服を脱がせ肌着を着替えさせなければならなかった。掛け紐は首の後ろで結ぶものやマジックテープ等でとめる様に出来ており、安全性が悪い。お母さん一人では首の座ってない赤ちゃんやお座りしてない赤ちゃんに付けにくかった。襟元に掛ける布が付いている物もあるが、動いたり抱っこ等ですぐ外れた。本発明はこの課題を解消する為になされたものである。
【課題を解決するための手段】
【０００４】  よだれかけを二つ折りにし、前だけではなく肌着の内側し込める様にする。襟元の衣服がよだれかけによって隠れ、洋服肌着とも濡れない様にした。襟元での差し込み式なので、お母さん一人でも安全かつ簡単に取り外し出来る様にした。
【発明を実施するための最良の形態】
【０００５】  本発明は、よだれから下着も濡れないようにしたもので、それを図面で説明すれば、１の前掛けと２の後ろ掛けを作るように綿の布を取り、二つ折りにする。襟元は１ｃｍ前後３山折りと４谷折りにし縫い代を取り、布が４枚重ねになる様にし、なお衣服が濡れない様にする。
【発明の効果】
【０００６】  このようにすれば、洋服だけではなく肌着も濡れずにすむ。濡れた肌着を着替えさせる手間が省ける。冬は風邪をひかす心配をせず寝かしつける事が出来る。
首の後ろに縛紐がなくお母さん一人でも安全かつ簡単に取り付け取り外しが出来る。後ろ掛けは綿なので赤ちゃんの肌にも優しく切り込みがあり外れにくい。
【図面の簡単な説明】
【図１】  布の襟元を縫い合わす前の平面図である。
【図２】  布の襟元を縫い合わせ二つ折りにした立面図である。
【符号の説明】
１  布  前掛け
２  布  後ろ掛け
３  山折り部分
４  谷折り部分
５  襟元の縫い代
６  後ろ掛けの布の部分を表す線
【図１】
2006348448.tif 000003
【図２】
2006348448.tif 000004
(57)【要約】【課題】  クリップを帽子の内側に付け、そのクリップで地毛（髪の毛）を挟み押えることにより、頭と帽子が一体化するので風に吹き飛ばされることのない帽子を提供する。【解決手段】  帽子の内側の任意位置に、わん曲して反転可能なベースフレームと、前記ベースフレームの一面側に当接可能に設けられ、前記ベースフレームとの間に地毛（髪の毛）を挟持する櫛歯部とを備えるクリップを複数個備えたことを特徴とする帽子。【選択図】  図１
2006348444.tif 000002
【特許請求の範囲】
【請求項１】
帽子の内側の任意位置に、わん曲して反転可能なベースフレームと、前記ベースフレームの一面側に当接可能に設けられ、前記ベースフレームとの間に地毛を挟持する櫛歯部とを備えるクリップを複数個備えたことを特徴とする帽子。
【発明の詳細な説明】
【技術分野】
【０００１】  本発明は、クリップを帽子の内側に付け、そのクリップで地毛（髪の毛）を挟み押えることにより、頭と帽子が一体化するので、風に吹き飛ばされることのない帽子に関するものである。
【背景技術】
【０００２】  従来、帽子を飛ばされない方法として、帽子の両端にゴム紐を付けた物や、帽子のつばに布紐やチェーンを付け、飛ばされても身体から離れないで済む物などが知られている。
【特許文献１】
【発明の開示】
【発明が解決しようとする課題】
【０００３】  そのために、次のような問題点があった。
（イ）自動車や他の乗りものに乗った時、突然の風のため帽子を飛ばされて紛失したりすることがある。
（ロ）自転車に乗っている時、帽子が飛ばされそうになり慌てて手で帽子を押えたためバランスを崩し、危険な経験をすることがある。
（ハ）ゴム紐を帽子の両端からあごの下を通して、飛ばされないようにしているのを見かけることがあるが見た目に良くない。
（ニ）市販で帽子のつばに布紐やチェーンを付けてあるものがあるが、これは帽子が飛ばされても紛失したり身体から離れないというだけのものである。
【課題を解決するための手段】
【０００４】  帽子の内側の任意位置に、わん曲して反転可能なベースフレームと、ベースフレームの一面側に当接可能に設けられ、ベースフレームとの間に地毛（髪の毛）を挟持する櫛歯部とを備えるクリップを複数個備えたことを特徴とする帽子である。
【発明の効果】
【０００５】  本発明は、帽子が風によって飛ばされないという安心感があり、そのため常に両手が自由に使えるという便利性がある。
また、装着方法も簡単であり、クリップを使用しないで普段のようにかぶる時もクリップが薄く帽子になじむので何の違和感もない。
【発明を実施するための最良の形態】
【０００６】  以下、本発明の実施の形態を説明する。
（イ）弾性変形可能な１枚の薄板材で成形された基片（２）の両端部に２箇所の糸通し孔を形成した連結片（３）（３）がそれぞれ同方向に設けられ、該基片（２）に多数本の櫛歯体（５）を片待ち状となって連結片（３）（３）と同方向に形成し、連結片（３）（３）の先端部に基片（２）を反転可能にわん曲した状態で連結される帯板状の挟着体（４）を連結部（６）（６）でかしめ固定しクリップ本体（１）を構成する。
（ロ）クリップ本体（１）を頭部分（１１）の内側テープ部（９）の前部と左右部位に糸通し孔（７）に糸で縫いつける。
本発明は以上の構成よりなる。
これを使用するときは、帽子本体（８）を頭部に装着し、挟着体（４）に、わん曲したクリップ本体（１）の各櫛歯体（５）と挟着体（４）との間で自体の頭部の地毛（髪の毛）を挟着して帽子を頭部に固定する。
【図面の簡単な説明】
【０００７】
【図１】  本発明の斜視図
【図２】  本発明に使用されているクリップ本体が開いている時の斜視図
【図３】  本発明に使用されているクリップ本体が閉じている時の斜視図
【符号の説明】
【０００８】  １  クリップ本体
２  基片
３  連結片
４  挟着体
５  櫛歯体
６  連結部
７  糸通し孔
８  帽子本体
９  テープ部
１０  つば
１０ａ  前面
１０ｂ  後面
１０ｃ  右側面
１０ｄ  左側面
１１  頭部分
【図１】
2006348444.tif 000003
【図２】
2006348444.tif 000004
【図３】
2006348444.tif 000005
(57)【要約】【課題】古い家、又は家を新築するさい、家の白アリ毒虫が寄り付かない効果のあるニームの樹の成分を利用して、セラミックシート、布又は紙、ボール紙等に害虫が寄り付かないニームオイルを、塗布又は浸透させ、又は、セラミックの粉末とニームの粉末を混ぜ合わせて、押出機で押出し成形してニーム入りセラミックシートを設ける、新築又は古い家の床板の上に敷き白アリ、毒虫の発生を防ぎ、畳には、ダニ、ゴキブリ、毒虫等の発生を防ぎ、環境と人体に害がなく、持続性のあることを特徴とするニーム入りセラミックシート、布、紙。【解決手段】  セラミックシート、布、紙に害虫が寄り付かないニームの樹のニームオイルを塗布又は浸透させ、又、ニームの粉末とセラミックの粉末を混ぜ合わせ、押出し機で押出し成形して、平板を設け、所定の寸法に切断し、家の床板の上に敷きしめ、床板に白アリ、害虫が寄り付かず、畳はダニ、毒虫等の害虫が寄り付かないニーム入りセラミックシートである。【選択図】図１
2006348446.tif 000002
【特許請求の範囲】
【請求項１】
セラミックシート、布、紙、ボール紙の両面又は片面に、ニームの樹の成分であるニームオイルを塗布又はニームオイルが入った槽に漬けニームオイルを浸透させたニーム入りセラミックシート、布、紙。
【請求項２】
セラミックの粉末とニームの樹の粉末を混合し、押出機で押出し成形して金型から平板を製造し、切断機で所定の寸法に切断した請求項１記載のニーム入りセラミックシートと布、紙。
【請求項３】
ニーム入りセラミックシート、布及び紙、ボール紙を古い家又は、新築中の家の床板の上に敷く事で、床板には白アリ、毒虫が寄り付かない、又床板の上の畳には、ダニ，毒虫等の害虫が寄り付かない請求項１〜２記載のニーム入りセラミックシートと布、紙。
【請求項４】
ニームの樹の成分を含有、塗布、浸透したセラミックシート、布、紙、ボール紙の請求項１〜３記載のニーム入りセラミックシート、布、紙。
【発明の詳細な説明】
【技術分野】
【０００１】  本発明は、セラミック粉末を用いて形成するセラミックシート又は既存のセラミックシートに害虫が寄り付かないニームの樹の粉末又はニームオイルを塗布又は浸透させて形成するセラミックシートとニームの樹の成分を塗布又は浸透させた布、紙に関するものである。
【背景技術】
【０００２】  セラミックシートの成形方法は、ドクターブレード法（キャステイング法）と押出成形法が知られている。そして一般的にはドクターブレード法で製造されている。セラミック紛末を結合剤、溶剤などを混合してスラリーを得て、成形機を用いて成形する。その他スクリュウー式押出機で押出し成形するものもある。セラッミックシートの製造法等に関しては多数出願されているが、ニームの樹の成分が含有したものは無く、又ニームの樹の成分を塗布、浸透させた布、紙もない。
セラミックシートの製造特許等は数多く出願されている。
例えば特開２００３−１３６５１３号公報。特許３３１７１４２号公報。
【発明の開示】
【発明が解決しようとする課題】
【０００３】  それには次のような問題点があった。
（イ）セラミックシートには、白アリ、毒虫等の害虫を防ぐ成分は無い。
（ロ）ニームの樹の害虫を寄せ付けない成分は含まれていない。
（ハ）セラミック効果とニーム効果がある物はない。
（ニ）白アリ、毒虫等の害虫を寄せ付けない物は薬剤で駆除するしかない。
（ホ）白アリ、毒虫等の害虫には薬剤を使用するため危険性がある。
（ヘ）新築の家でも５〜６年で白アリ、毒虫が発生する。
（ト）古い家は白アリ、毒虫が発生し、業者に頼んで薬剤で駆除するか、焼却以外方法が無い。
（チ）布、紙にもニームの樹の成分を塗布、浸透したものはない。
本発明は、以上の問題点を解決するためのものである。
【課題を解決するための手段】
【０００４】  既存のセラミックシート、布及び厚紙にニームの樹から搾油機で搾ったニームオイルを塗布又は、ニームオイルの入った槽に挿入し浸透させ、両面にニームオイルを付着したセラミックシート又は、布、厚紙を設ける。又、セラミックの粉末とニームの粉末を混錬し押出し機で押出し成形してニーム含有セラミックシートを設けても良い。
ニーム含有のセラミックシート、布及び紙を家の床の床板の上に敷くことで床に対しては白アリ、毒虫の発生の防止に、畳に対してはニームの樹の成分で抗菌、殺菌、防虫効果等で毒虫、ダニ等に効果がある。以上を特徴とするニーム入りセラミックシートである。
【発明の効果】
【０００５】  セラミックシート、布又は紙、ボール紙にニームの樹の害虫が寄り付かない成分、ニームオイルを塗布又はニームオイルの液の中につけることにより、ニームオイルが浸透し、その塗布又は浸透したセラミックシート、布又は紙を畳を敷いた座敷の床の上に敷くことにより、床板に白アリ、毒虫がよりつかず、同時に畳に対しても毒虫、ダニ、等の害虫が発生しなくなり、又、セラミックシート本来の遠赤外線、マイナスイオン効果も同時に期待できる。このニームの樹の成分は人体，益虫には害がない。
【発明を実施するための最良の形態】
【０００６】  以下、本発明の実施の形態を説明する。
（イ）セラミックシート、布又は紙、ボール紙（１）あるいはセラミックの粉末（３）を設ける。
（ロ）ニームの樹の実の仁を搾ったニームオイル（２）又はニームの樹の粉末（４）を設ける。
（ハ）セラミックシート、布又は紙、ボール紙等（１）にニームオイルを塗布又は浸透させる。
（ニ）セラミックの粉末（３）とニームの樹の粉（４）を混合し、押出機で押出し成形して平板を製作する。
（ホ）押出し機で連続成形したニーム入りセラミックシートを切断機で所定の寸法に切断する。
（ヘ）切断したセラミックシートを建築中の床の床板の上に敷きつめる。
（ト）ニームオイルを塗布又は、浸透した布、紙、ボール紙等も所定の寸法に切断して、家の床の床板の上に敷きつめる。
本発明は、以上の構成よりなっている。
【図面の簡単な説明】
【０００７】
【図１】セラミックシート、布又は紙、ボール紙等にニームオイルを塗布した拡大断面図。
【図２】セラミックの粉末とニームの粉末を混ぜて押し出し成形の拡大断面図。
【符号の説明】
【０００８】    １  セラミックシート、布又は紙、ボール紙
２  ニームオイル
３  セラミックの粉末
４  ニームの樹の粉末
【図１】
2006348446.tif 000003
【図２】
2006348446.tif 000004
(57)【要約】【課題】本発明は、ウェットスーツの上から着るオーバースーツである。内側から外側へ水を通さないようにする事が目的で、なおかつ水から上がった時の防寒衣としての役目も果たすというのが目的で、これを提供する。【手段】防水の生地（２）を使用し、防水の縫製方法（３）で仕上げ、着脱しやすいように前開きでファスナー（４）は、金属素材以外の物か、もしくはベルクロテープを使用し、オーバースーツ（１）を仕上げる。【選択図】図１
2006348454.tif 000002
【特許請求の範囲】
【請求項１】
オーバースーツ（１）は、防水の生地（２）を使用し、防水の縫製方法（３）で仕上げ、着脱しやすいように前開きで、ファスナー（４）は、金属素材以外の物、または、ベルクロテープで仕上げる。以上の構成からなる、ウェットスーツ用オーバースーツ。
【請求項２】
オーバースーツ（１）本体の胸部、または背中部等に、プリント加工、または刺繍加工等を施して、デザインを楽しむ事が出来る  請求項１記載のウェットスーツ用オーバースーツ。
【発明の詳細な説明】
【技術分野】
【０００１】  本発明は、サーフィン等、ウォータースポーツを楽しむ際、水から上がった時にウェットスーツに付着した水で身のまわりの物を、濡らさないようにすると同時に、体の保温効果を得るもので、ウォータースポーツ全般に関するものである。
【背景技術】
【０００２】  従来、ウォータースポーツを楽しむ際に、ウェットスーツを着用した場合、水から上がった時に身のまわりの物を濡らさないように配慮が必要だった。車のシートに座るなど、日常的な行為に制限があり、これに対し、ビニールを敷いたりして、その上に座っていた。
【発明が解決しようとする課題】
【０００３】  従来、ウェットスーツを着用してウォータースポーツを楽しむ際、水から上がった時に、ウェットスーツが水を吸収しているので、身のまわりの物を濡らさないように配慮が必要だった。また、寒い時期など、水から上がって、風にさらされた際、ウェットスーツに付着している水分が冷やされ、体温が奪われてしまうという状況であった。
本発明は、これらの問題点を解決し、濡れたウェットスーツを着たままでも、身のまわりの物を濡らす事なく、また、防寒効果を得られるものである。
【課題を解決する手段】
【０００４】  防水の生地（２）を使用し、防水の縫製方法（３）で仕上げ、着脱しやすいように前開きで  ファスナー（４）は金属以外の素材のものか、または、ベルクロテープを使用し、仕上げる。
本発明は、以上の構成よりなるウェットスーツ用オーバースーツである。
【発明を実施するための最良の形態】
【０００５】    以下、本発明の実施の形態を説明する。
（イ）防水の生地（２）を使用する。
（ロ）金属以外の素材のファスナー（４）を使用する。
（ハ）防水の生地（２）と、ファスナー（４）の材料を使用し、防水の縫製方法（３）で仕上げる。
本発明は以上の構成よりなる。
本発明を使用する場合は、ウェットスーツを使用してウォータースポーツを楽しむ際、水から上がった時に、濡れたウェットスーツの上から着用するものである。この時、ウェットスーツに付着した水は、オーバースーツの中を通り、すそ部分または、袖先部分より排水される。
【発明の効果】
【０００６】  本発明の効果は、ウェットスーツを着用して、ウォータースポーツを楽しむ際、水から上がった時にウェットスーツ用オーバースーツを着用する事により、従来濡れたウェットスーツを着たまま、車のシートに座ったりする事が出来なかったのが可能となり、また、寒い時期には、オーバースーツを着用する事により、防寒効果を得る事ができ、保温性を獲得する事が出来るようになる。
また、デザイン性を高め、おしゃれに着る事により、まわりの人たちからも好感を得る事ができ、飲食店などに食事に入っても、身のまわりを濡らす事がないので迷惑をかける心配もなくなる。
【図面の簡単な説明】
【図１】本発明の正面図
【図２】本発明の使用実施図
【符号の説明】
（１）オーバースーツ、（２）防水の生地、（３）防水の縫製方法、（４）ファスナー
【図１】
2006348454.tif 000003
【図２】
2006348454.tif 000004
(57)【要約】【課題】  帽子を着用するときに不意の風や自転車の走行時に帽子が風に飛ばされることを防ぐために帽子の風による飛散防止用具を提供する。【解決手段】  面ファスナーのループ面とフック面の間に伸縮性ベルトをつないだ一本のベルトを頭部の周囲のサイズに合わせて面ファスナーの両面で接着して、環状にしたベルトの一部分を帽子の内周に接着する。  接着されないベルトの部分には帽子の内周との間にすこし余裕を取るために、糸で網目に編んだ網地を取り付けて、それを帽子の内周に止めることを特徴とする帽子の風による飛散防止用具。【選択図】  図２
2006348453.tif 000002
【特許請求の範囲】
【請求項１】
面ファスナーのループ面とフック面の間に伸縮性ベルトをつないだ一本のベルトを頭部の周囲のサイズに合わせて面ファスナーの両面で接着して、環状にしたベルトの一部分を帽子の内周に接着することを特徴とする帽子の風による飛散防止用具。
【請求項２】
請求項１の接着されないベルトの部分には帽子の内周との間にすこし余裕を取るために、糸で網目に編んだ網地を取り付けて、それを帽子の内周にとめる事を特徴とする帽子の風による飛散防止用具。
【発明の詳細な説明】
【技術分野】
【０００１】  本発明は帽子着用時に風によって、帽子が飛ばされないために帽子の内側に取り付けて外側からは見えずに、帽子を頭に固定する帽子の風による飛散防止用具に関するものである。
【背景技術】
【０００２】  従来の帽子の飛散防止用具として、あごにゴムひもを掛けるものや、帽子と被服をチェーン等でつなぎとめるものなどがある。
【発明の開示】
【発明が解決しようとする課題】
【０００３】  その為に、次のような問題点がある。  あごにゴムひもをかけるものは外見上、あまり良くなく帽子のファッション性を損なう。  またチェーン等でつなぎ止めるものは帽子が遠くへ飛ばされないためのものであり、頭部に帽子を固定することが出来ないので炎天下の帽子による頭部保護の役目を果たせない。
【課題を解決するための手段】
【０００４】  面ファスナーのループ面とフック面の間に伸縮性ベルトをつないで一本のベルトにする。  それを頭部の周囲のサイズにあわせて面ファスナーの両面で接着し、環状にしたベルトの一部分を帽子の内周に接着する。  接着されないベルトの部分には帽子の内周との間にすこし余裕を取るために、糸で網目に編んだ網地を取り付けて、それを帽子の内周に止める。
【発明の効果】
【０００５】  面ファスナーを使うことで、ベルトが頭部の周囲の長さに調節できる。また、面ファスナーのループ面がすべりどめになる。  伸縮性ベルトを使うことと、ベルトの一部分を接着し、ベルトの残りの部分を余裕を取って帽子に固定することにより、大きな帽子でも頭部にしっかりと固定でき、風に飛ばされることがない。  帽子とベルトの隙間から風が帽子のクラウンの中に、入ってくるので涼しく、むれない。
【発明の実施するための最良の形態】
【０００６】以下、本発明の実施の形態を説明する。
（イ）  面ファスナーのループ面（１）とフック面（２）の間に伸縮性ベルト（３）をつないで一本のベルトにする。
（ロ）  面ファスナーのループ面（１）の裏側に帽子の内周に接着するための接着テープ（４）をとりつける。
（ハ）  伸縮性ベルトに糸で網目に編んだ網地を取り付ける。
本発明は以上の構成により成り立っている。  本発明を使用するときは、ベルトを頭囲に合わせて面ファスナーで接着して環状にする。  面ファスナーのループ面の裏側の接着テープを帽子の後ろの部分に張り付ける。  前の方はベルトにつけた網地をクリップや接着テープなどで帽子の内側に取り付ける。  帽子を着用するときはベルトが生えぎわあたりに当たるようにかぶる。  これで不意の風にも帽子が飛ばされることもなく、また風が帽子のクラウンの中に入って涼しい。夏向きである。風が強い日（冬など）や自転車に乗って走行するときは、接着した面ファスナーのループ面を前に持ってきて、おでこに当ててかぶると帽子が頭部にしっかりと安定してかぶれる。面ファスナーが滑り止めになって、強い風にも帽子が飛ばされる事はない。また、飛ばされないようにデザインされた帽子と違い、つば広の帽子、麦わら帽子、紳士帽子、お気に入りのデザインの帽子など、いろいろな帽子に取り付けられるので帽子のファション性を幅広く楽しめる。
【図面の簡単な説明】
【０００７】
【図１】  本発明の側面図
【図２】  本発明の斜視図
【図３】  本発明の使用状態の図
【符号の説明】
【０００８】    １  面ファスナー（ループ面）
２  面ファスナー（フック面）
３  伸縮性ベルト
４  接着テープ
５  網目に編んだ糸
【図１】
2006348453.tif 000003
【図２】
2006348453.tif 000004
【図３】
2006348453.tif 000005
(57)【要約】      （修正有）【課題】  どのブラジャーにも使用出来、女性の外見上の見栄えをカバーする事が出来る上、ファッションの一部としても使用出来る点であり、ほとんどの体型に合うブラジャー付帯肩紐を提供する。【解決手段】  既存のブラジャーのストラップに直接取り付ける、伸縮性のカバー材に関し、ストラップ装着点が動かない様にするとともに、既存の調整金具をみえないようにしている。【選択図】  図１
2006348451.tif 000002
【特許請求の範囲】
【請求項１】
既存のブラジャーのストラップに直接装着する点を、特許として請求する。
本発明ストラップは、伸縮性がある為、どのブラジャーの形状にも対応する。発明商品は、ストラップに装着した際、前、後ろの装着点が動かない様に問題解決し、既存のブラジャーの長短を調整する金具を見えないようにしている。
【請求項２】
既存のブラジャーのストラップに直接装着する点を、特許として請求する。
本発明ストラップは、伸縮性がある為、どのブラジャーの形状にも対応する。発明商品は、ストラップに装着した際、前、後ろの装着点が動かない様に問題解決し、既存のブラジャーの長短を調整する金具を見えないようにしている。その上、装着部分から袖の部分を付帯する事を特許として請求する。
【請求項３】
ブラジャーのストラップを、包み込む物を特許として請求する。
【発明の詳細な説明】
【技術分野】
【０００１】（ブラジャー）肩紐
【背景技術】
【０００２】今までのブラジャー肩紐は、ブラジャー肩紐本体に手を加え、見た目を良くする為、ブラジャーの肩紐をレース使いにしたり、目立たないようにビニールの肩紐に変えたり、肩紐の無いブラジャーなど、様々作られていたが、全く発想を変え、ブラジャーの肩紐の上に装着するものを考案した。肩紐の無いブラジャーのような場合、胸の膨らみ、形をきれいに見せる事が難しいため、バストアップのブラジャーを使用出来ている時は良いが、キャミソールなどを着用する場合は、バストアップブラを使用する事が出来なかった。背景技術は、どのような場合でも、着用したいブラジャーを使用できる事である。
【発明の開示】
【発明が解決しようとする課題】
【０００３】女性ファッションの多様化により、肩を露出するタンクトップ、キャミソール、肩紐の無いベアトップなどを着用する際、又は、アシンメトリー（左右非対称）なファッションを着こなす上で、ブラジャーを着用したままでは、ブラジャーの肩紐が外部にさらされ、ファッション上見栄えが良くない。今までは、その様な状況を解決する為、ブラジャー肩紐をはずし（はずせるブラジャーは一部）、ブラジャー（肩紐なし）のみで着用したり、又はストラップの着脱可能なブラジャーにビニールのストラップ変えたりしていたが、どれも見栄え良くなるものではなかった。ブラジャーの肩紐本体にレースなどをつけ装飾したものもあるが、ブラジャーは伸縮が必要な為クリップで伸縮調整をしているが、そのクリップが見えてしまう為、前から見た場合は良いが、後ろからはブラジャー肩紐と認識出来てしまうものだった。その上、特定のブラジャーのみでの使用に限られていたため、バストアップブラなどを使用したくても出来なかった。その点を解決し、どのようなブラジャーにも使用できる事が発明であると、同時にファッションの一部として使用できる事も発明で有る。実施例２では、二の腕を出したくない方の為にシフォンなどで袖を付帯する事で、幅広い年代層の使用を可能にしている。
【課題を解決するための手段】
【０００４】既存のブラジャーのストラップに直接取り付ける事により、外部にさらされても、美しく、ファッションの一部と捉える事も出来る。発明は、かなり伸縮性が有るため、装着した際に留め金部分が固定する事を課題として作成した。
【発明の効果】
【０００５】  今までのブラジャー肩紐は、下着の一部であり、下着に手を加えても根本的な解決にはならなかった。発明は、ブラジャー本体を変えるものではなく、どのブラジャーにも使用出来、女性の外見上の見栄えをカバーする事が出来る上、ファッションの一部としても使用出来る点であり、ほとんどの体型に合うものである。今までは、隠そうとしていたブラジャーの肩紐をファッションとして出す事も出来、キャミソールなどの色合い、形に合わせコーデイネートも出来る。広くは、結婚式、パーテイーの時など、大事な時にブラジャーの位置が気になったり、不安定になったりすることも解決できる為、ウェデイング、カクテルドレスなどに合わせて素材などを変えて作成する。
【発明を実施するための最良の形態】
【実施例１】
【０００６】ブラジャー肩紐に重ね留めし、ブラジャーの肩紐の前後をホック、ドットボタンなどの留め具で固定するように留める。ホック、ドットボタンなどの留め具の前後は伸び縮み出来るようゴムなどを使用、さらに、途中に肩紐をつけ固定強化を図っている。前部分は、そのままたらすようにし、ブラジャーのカップ下に留めるか、脇にながす。後ろ部は、アンダーベルトにストラップの一部を一回りさせとめる。（図１，２，３）
【実施例２】
【０００７】ブラジャー肩紐に重ね留めし、ブラジャーの肩紐の前後をホック、ドットボタンなどの留め具で固定するように留める。ホック、ドットボタンなどの留め具の前後は伸び縮み出来るようゴムなどを使用、さらに、袖を付ける。途中に肩紐をつけ固定強化を図っている。前部分は、そのままたらすようにし、ブラジャーのカップ下に留めるか、脇にながす。後ろ部は、アンダーベルトにストラップの一部を一回りさせとめる。袖部分は、完全に縫ってしまわず、１，２箇所留めるようにする。（図４）
【実施例３】
【０００８】全開出来るジッパーでブラジャーの肩紐を包み、ブラジャーの前後を留める。（図５）
【図面の簡単な説明】
【０００９】
【図１】本発明の肩紐全体図
【図２】本発明を従来のブラジャーに着用した横面
【図３】本発明の横面
【図４】本発明実施例２の人体に着用した場合の前面
【図５】本発明実施例３の全体図
【図６】本発明実施例３の
【符号の説明】
【００１０】１、１′は、前  留め具
２，２′は、後  留め具
３，３′、ブラジャーのアンダーベルトを包んだ後留める
４，４′、５，５′、肩留め
６は、前たて
７は、後ろたて
８、袖部分留め具
９、袖部分
【図１】
2006348451.tif 000003
【図２】
2006348451.tif 000004
【図３】
2006348451.tif 000005
【図４】
2006348451.tif 000006
【図５】
2006348451.tif 000007
【図６】
2006348451.tif 000008
(57)【要約】【課題】  従来のガードレールは、走行中の車両の接触事故により車両のドアの一部がガードレールを固定するボルトに引っ掛かり、剥ぎ取られ、鋭利な金属片がボルトに付着し、歩行者の人体に損傷を与えていた。本発明は、この問題を解決する安全対策工法である。【解決手段】  本発明は、ガードレールを固定するボルト部およびその周辺に被覆剤を施し、ボルトとガードレールを密着させることにより、衝突時における車両のドアの剥離を防止し、歩行者の安全を確保することが可能となる。また、被覆剤を着色することにより、運転者に注意を促し接触事故防止に寄与することも可能である。【選択図】図１
2006348546.tif 000002
【特許請求の範囲】
【請求項１】
車両のガードレール接触により車両のドアの一部とみられる３角形の鋭利な金属片がガードレールの取り付けボルトに付着し、歩行者の負傷する事故が多発し社会問題化しているため、本発明は、未然に事故を防止することができるガードレール金属片付着防止工法である。
【発明の詳細な説明】
【技術分野】
【０００１】
本発明は、ガードレールに関するものであり、車両の走行時に運転者の不注意によりガードレールに接触し、車両のドア表面の一部が、ガードレールの取り付けボルトに引っ掛かり鋭利な金属片として残り、歩行者の裂傷事故が多発している。本発明は、未然に事故を防止する安全対策工法である。
【背景技術】
【０００２】
ガードレールは、支柱に鋼製ボルトにより固定されおり、走行中の車両がガードレールに接触し、ドアの一部が突起物であるボルト頭部に当たり、鋭利な金属片として残り、ガードレールの金属片付着防止工法はこれまで開発されてなかった。
【発明の開示】
【発明が解決しようとする課題】
【０００３】
既存のガードレールに挟まった金属片は、人力により取り除く方法しかない。しかし、たとえ、取り除いても、再度接触事故の可能性もあり、歩行者や自転車の運転者の安全は、確保されていない。
【０００４】
本発明は、ガードレールにおけるこのような問題を解決し人体に裂傷という大きな傷を与えないように金属片の付着を防止する工法である。
【課題を解決するための手段】
【０００５】
本発明は、従来のガードレールにおけるこのような事故を未然に解決するために、下記の工法を提供する。
【発明の効果】
【０００６】
以上説明したように、本発明においては、ガードレールを固定するボルト部およびその周辺に被覆剤を施し、ボルトとガードレールを密着させることにより、衝突時における車両のドアの剥離を防止し、歩行者の安全を確保することが可能となる。また、被覆剤を着色することにより、運転者に注意を促し接触事故防止に寄与することも可能である。
【発明を実施するための最良の形態】
【０００７】
以下、本発明の実施の形態を図１〜図２に基づいて説明する。
【０００８】
図においては、１は、ガードレールであり、２の鋼製ボルトによりガードレールを固定する支柱３に固定されている。ここで、鋼製ボルト２とその周辺を被覆し、ボルト２とガードレール１の隙間をなくすことにより、一体化が図られ、衝突時において、車両のドアの剥離防止が可能になる。被覆剤は、塗布、または、吹付け、粘着シールによる貼り付けを施すことにより、車両の衝突時に発生するガードレールとボルトの隙間が開かないようにボルトを密閉することができる。
【図面の簡単な説明】
【０００９】
【図１】ガードレールの断面図である。
【図２】ガードレール正面図である
【符号の説明】
【００１０】
１  ガードレール本体
２  ガードレールと支柱を固定する鋼製ボルト
３  被覆剤(ウレタン、アクリル、エポキシ樹脂等の化学接着剤（バインダー）、塗料等、ポリマーセメント系被覆剤、耐久性のある粘着シール等、その他の金属に接着力のある化学製品を含む)
４  ガードレールを固定する支柱
【図１】
2006348546.tif 000003
【図２】
2006348546.tif 000004
(57)【要約】【課題】従来の手動式石油ポンプは、給油停止コック（１）を開放にしても、吸油管（３）内及びポンプ胴体（２）底辺部に残油が残っている為、タンクよりポンプを取外す際、ポンプ内残油を意図的に排油する作業が必要である。【解決手段】本発明は、手動式給油ポンプにおいて、ポンプ胴体（２）と吸油管（３）の間に弁体（５ａ）と共に戻し流路（９）を設ける事で、給油停止コック（１）を開放にした時、ポンプ内部の残油が残らず供給缶（７ａ）及び受給缶（１２ａ）の油面まで流出する事を特徴とする。【選択図】図３
2006348922.tif 000002
【特許請求の範囲】
【請求項１】
手動式給油ポンプにおいて、スクイブ性を有するポンプ胴体に吐出管と吸油管とが接続され、前記ポンプ胴体内部と前記吐出管接続部の開口部には吐出逆止弁が設けられ、前記ポンプ胴体内部と前記吸油管接続部の開口部には弁体が設けられた手動式給油ポンプにおいて、弁体に戻し流路を設けると共に、同戻し流露は吐出逆止弁孔よりも小径に形成したことを特徴とする手動式給油ポンプ。
【請求項２】
請求項１記載の手動式給油ポンプにおいて、戻し流路とは、弁体に切欠を設けて形成したことを特徴とする手動式給油ポンプ。
【請求項３】
請求項１記載の手動式給油ポンプにおいて、戻し流路とは、弁体に流通孔を設けて形成したことを特徴とする手動式給油ポンプ。
【請求項４】
請求項１記載の手動式給油ポンプにおいて、戻し流路とは、ポンプ胴体底辺部に切欠を設けて形成ことを特徴とする手動式給油ポンプ。
【請求項５】
請求項１記載の手動式給油ポンプにおいて、戻し流路とは、ポンプ胴体と吸油管との間に迂回路を設けて形成したことを特徴とする手動式給油ポンプ。
【発明の詳細な説明】
【発明の明細な説明】
【技術分野】
【０００１】本発明は、手動式給油ポンプの、給油停止時にポンプ内残油を減らし、取り外し時の垂れこぼれ削減を図る、垂れこぼれの少ない手動式給油ポンプに関するものである。
【背景技術】
【０００２】従来の手動式給油ポンプは取り外し時に給油停止コックを開放にしても、手動式ポンプ内に残油が残り供給缶及び受給缶から取り外した時、吸油管及び吐出管先端より、垂れこぼれを起こしていた、又ポンプ室およびポンプ胴体内の残油は全て受給缶へ流れ込むため、注意をしていないと受給缶より石油が溢れ出すことがあった。
【発明が解決しようとする課題】
【０００３】従来の手動式石油ポンプは、ポンプ停止時の吸油管からの垂れこぼれ、受給缶からの溢れ出しに苦慮している、本発明は給油停止コックを開いた時、吐出管からの流出量を減らし、ポンプ内の残油を殆ど残さない様にできる、又ポンプを取り外す際、吸油管先端及び受給管先端からの垂れこぼれが少なく済むようになされたものである。
【課題を解決する手段】
【０００４】ポンプ胴体（２）の上部に手動ポンプ（８）を設け、手動ポンプ（８）の上部に給油停止コック（１）を設ける、ポンプ胴体（２）と吸油管（３）の間に弁体（５ａ）と戻し流路（９）を設ける、戻し流路（９）は弁体（５ａ）が閉じた状態でもポンプ胴体（２）と吸油管（３）の間を空気及びポンプ内残油（１３ａ）が流通できる流路である、ポンプ胴体（２）と吐出管（４）の間には吐出逆止弁（６）を設け吐出管（４）からポンプ胴体（２）へ逆流しない弁である、本発明は以上の構成よりなる
【発明を実施するための最良の形態】
【０００５】    以下、本発明の実施の形態を説明する。
手動式給油ポンプにおいて、ポンプ胴体（２）の底辺部と吸油管（３）の間に、弁体（５ａ）と、吐出管（４）よりも孔径が小さい戻し流路（９）を設けることで、給油停止コック（１）を閉じた状態で手動ポンプ（８）に急速な押圧加えると、ポンプ胴体（２）及び手動ポンプ（８）内の空気及び石油（１３ａ）は戻し流路（９）より吸油管（３）へ逆流もするが、戻し流路（９）の孔径を小さくすることにより、大半は吐出逆止弁（６）が開き吐出管（４）へ流出する、スクイブ性のある手動ポンプ（８）から押圧を解除すると吐出逆止弁（６）は閉鎖し、弁体（５ａ）が開き供給石油（７ｂ）は吸油管（３）を通り弁体（５ａ）及び戻し流路（９）を通りポンプ胴体（２）及び手動ポンプ（８）内に流入する、この操作を繰り返す事で供給石油（７ｂ）が吸油管（３）から吐出管（４）へ流れ出す、石油受給缶（１２ａ）に希望量の受給石油（１２ｂ）が流入した時点で、給油停止コック（１）を開くとポンプ胴体（２）及び手動ポンプ（８）内の残油は吐出逆止弁（６）及び戻し流路（９）を通り、吐出管（４）及び吸油管（３）内の残油と共に石油受給缶（１２ａ）及び石油供給缶（７ａ）に流入し、受給石油（１２ｂ）及び供給石油（７ｂ）の油面まで落下して停止する、戻し流路（９）付手動石油ポンプを、給油停止コック（１）を開放状態で、吸油管（３）及び吐出管（４）を石油供給缶（７ａ）及び石油受給缶（１２ａ）より取り外すとき、給油停止コック（１）及び吐出逆止弁（６）及び戻し流路（９）全てが開放になっているので、受給石油（１２ｂ）及び供給石油（７ｂ）の油面と同じ高さにポンプ内残油の高さもなる、よって吐出管（４）及び吸油管（３）先端からの垂れこぼれが殆どなく外せる、ポンプ胴体（２）及び手動ポンプ（８）内の残油は吐出管（４）からと戻し流路（９）からも吸油管（３）を介して石油給油缶（７ａ）へも流出するので石油受給缶（１２ａ）への残油の流れ込みは少なくなる、ポンプ胴体（２）底辺部に残留する残油も戻し流路（９）を設ける事で吸油管（３）へ流出してしまい、手動式給油ポンプを取り外し後の吐出管（４）及び吸油管（３）の先端からの流出は少量で済む。
【発明の効果】
【０００６】  本発明を使用すると、給油停止コック（１）を解放にした時、戻し流路（９）を設けた事で、手動式給油ポンプ内の残油は殆ど無く、垂れこぼれを削減でき、供給タンク、受給タンクからの手動式給油ポンプの取り外しを容易にできる様にした。
【図面の簡単な説明】
【図１】  本発明の斜視図一部断面図
【図２】  従来技術の断面図
【図３】  本発明の断面図
【符号の説明】
（１）給油停止コック、（２）ポンプ胴体、（３）吸油管、（４）吐出管、（５ａ）弁体、（５ｂ）従来型弁体、（６）吐出逆止弁、（７ａ）石油供給缶、（７ｂ）給油石油、（８）手動ポンプ、（９）戻し流路、（１０）吸油管内残油、（１１）ポンプ胴体内残油、（１２ａ）石油受給缶、（１２ｂ）受給石油、（１３ａ）本発明ポンプ内残油の流れ、（１３ｂ）従来型ポンプ内残油の流れ、（１４）吐出逆止弁孔、（１５）弁体孔
【図１】
2006348922.tif 000003
【図２】
2006348922.tif 000004
【図３】
2006348922.tif 000005